(57)【要約】      （修正有）【課題】近年の事務用環境に適し、誤って打ちつけた時でも周辺機器や人体を害しない、安全で且つ多目的なペーパーウエイトを提供する。【解決手段】比重が重く且つ酸化や腐食し難い微細な金属粒や砂、石粒等の流体物を外力に応じて流動性を保つ程度の密度に充填した強靱にして柔軟な素材よりなる内袋を、同一平面形状を有して互いに相対する強靱にして柔軟な鞣し革等よりなる外包片２，２’と、その下半分に同様な外包スペーサー片４によって形成維持された中空部に装填したのち、スペーサー片を介さずに外包片同士が直接接する縁部を縫製等の手法により接合する等の方法によって密閉閉鎖して、ペーパーウエイトを構成する。【選択図】図４
0003189787.tif 000002
【実用新案登録請求の範囲】
【請求項１】
同一の平面形状を有する互いに相対する布叉は合成樹脂膜、皮革など柔軟且つ強靱な素材からなる一対の外包片と該両外包片間に配置された外包スペーサ片により維持された中空部を有し、該中空部には砂、砂利、金属粒、またはこれらの混合物など、比重が重く且つ酸化や腐食し難い流動物を、外部から加えられた力に応じて流動する程度の密度に充填した柔軟且つ強靱な内袋が装填されていることを特徴とするペーパーウエイト。
【請求項２】
前記外包片の平面形状は、動物の頭部の形態を模して成ることを特徴とする、請求項１記載のペーパーウエイト。
【請求項３】
前記外包片の平面形状は、ハートの形状を模して成ることを特徴とする、請求項１記載のペーパーウエイト。
【考案の詳細な説明】
【考案の詳細な説明】
【技術分野】
【０００１】  本考案は、机等の平面上に置かれた用紙等が動かないように紙の上に載置するペーパーウエイトに関するものである。
【背景技術】
【０００２】  従来のペーパーウエイトは、文鎮とも称され書道の際に用紙が動かないように押さえるのが目的であって、金属製、石製、ガラス製、陶磁器製等であり、その形状も角柱状、円盤状、半球状等がほとんどであり、最近では硬質合成樹脂を蒲鉾状に形成し凸レンズの機能を持たせたものや金属塊を革で包んだ製図用のもの、あるいは円盤状の金属塊をフェルト等緩衝材で包み更に大形のオーガンジー布で花弁状に包むことによって装飾性を重視した文鎮等が知られている。
【先行技術文献】
【特許文献】
【０００３】
【特許文献１】特許公開２００３−９４８８８号公報
【考案の概要】
【考案が解決しようとする課題】
【０００４】  本考案の目的はこのような従来の文鎮が有する難点を解消するもので、例えば従来の文鎮はその殆どが書道用具としてのものであり、近年のパソコン機器を主体とする事務用に適するものではない。金属製角柱状のものは寸法が過大であり、周囲の物品や人体を過って傷つける危険性があり、また陶磁器類やガラス類のものは落とした場合、破損する恐れがある。またオーガンジー布等で包んだものは装飾部分に異物を巻き込んだり埃がつきやすく且つ素材が破損しやすいという難点があった。本考案はこのような従来の文鎮およびこれに類する文鎮類が有する難点を解消して、近年の事務用環境に適するペーパーウエイトを提供することにある。
【課題を解決するための手段】
【０００５】  請求項１に記載の考案によれば、従来の文鎮のように金属、陶磁器、ガラス等重量のある塊をそのまま錘りとするのではなく、例えば比重が重くかつ酸化や腐敗し難い微細な金属粒を外力に応じて流動性を保つ程度の密度に充填した、強靱にして柔軟な素材から成る内袋を、同一の平面形状を有して互いに相対する強靱にして柔軟な鞣し革等よりなる外包片と、その下半分に同様な外包スペーサー片によって形成維持された中空部に装填したのち、該外包スペーサー片を介さず該外包片が直接接する周縁部を縫製などの手法により接合する等の方法によって密閉閉鎖してペーパーウエイトを構成することにより、課題を解決している。【０００６】  請求項２に記載の考案によれば、請求項１の特徴を有する該ペーパーウエイトの外包片の平面形状は動物の頭部を模して成ることを特徴としている。【０００７】  請求項３に記載の考案によれば、請求項１の特徴を有する該ペーパーウエイトの外包片の平面形状はハートの形状を模して成ることを特徴としている。
【考案の効果】
【０００８】  上述のように本考案のペーパーウエイトは、用紙の飛散を抑え、かつ万一誤って周囲の機器類に打ち付けたり、足に落としたりしても柔軟にして強靱な外皮に包まれた流動体であるので流動体の変形に合わせて衝撃が適度に分散されるため、用紙や周囲の機器類や人体を傷つける事がない。さらには強靱にして柔軟な鞣し革等よりなる外包部は破損し難いうえに錘りである充填流動物の動きに追随するので特定の位置のみに荷重が掛かることもなく長持ちする。また該外包片の平面形状は動物の頭部、例えばペット動物や縫いぐるみの対象になる動物等をモチーフにした場合等は取分け身近に感じられ、例えペーパーウエイトのような文房具であってもより親近感を生じさせるものとなる。幾何学形態の一つであるハート形状も万国共通の抽象的意味を有するので同様である。従って本考案のペーパーウエイトは、単に文鎮の役目に留まらず、例えば伝言メモ用紙の誘目目印や、パソコン作業の合間の手慰み玩具としての心理的癒し効果も期待できる。また適度な重量感と柔軟性を合わせ持ち人体に安全であることから、パソコン作業の合間の軽い運動としてのお手玉として使用できるものであり、事務用品としてのペーパーウエイトのみならず、筋力の衰えた高齢者のリハビリ用お手玉として介護用品としても使用できるものである。
【実施例】
【０００９】  以下、添付図面に従って一実施例を説明する。［第１図］によって説明すると、本図は猫の頭部の形態を模して成る本考案ペーパーウエイトの平面図である。２は強靱性と柔軟性を合わせ持つ鞣し革等適宜素材にて形成された本体外包片であり、同一の平面形が相互に相対した該外包片の上半分の周縁部を縫製し密閉した部分である。【００１０】  ［第２図］によって説明すると、本図は［第１図］の左右側面図であり、２及び２‘は同一の平面形状をなす一対の外包片であり、該外包片の下部が別途に底部をなす外包スペーサー片４に接合されて空間部を形成し、更に該外包片２及び２‘の上部の外包片が相互に接する周縁部は周縁縫製部３、３’によって密着係止されている。【００１１】  ［第３図］によって説明すると、本図は［第１図］における中央部の縦断面図である。同一の平面形状を有して互いに相対する外包片２．２‘はその下半分ではスペーサー４を介して形成された中空部は、外力に応じて流動できる程度の密度で流動充填物として、比重４．５、直径１．３ｍｍ，板厚０．６ｍｍのステンレス粒を２００ｇ充填したナイロン製内袋部５が内装されたうえで、該外包片の上部周縁部分が周縁縫製部によって密着係止されている。【００１２】  ［第４図］によって説明すると、本図は［第１図］、［第２図］、［第３図］で例示した猫の頭部の形状を模したペーパーウエイトの斜視図である。【００１３】  ［第５図］によって説明すると、本図は外包片の平面形状が熊の頭部の形状を模してなるペーパーウエイトの斜視図である。【００１４】  ［第６図］によって説明すると、本図は外包片の平面形状が犬の頭部の形状を模してなるペーパーウエイトの斜視図である。【００１５】  ［第７図］によって説明すると、本図は外包片の平面形状がハートの形状を模してなるペーパーウエイトの斜視図である。
【図面の簡単な説明】
【００１６】
【図１】本考案に係るペーパーウエイトの一実施例を示す平面図である。
【図２】図１の示す左右側面図である。
【図３】図１の示す中央部の縦方向の断面図である。
【図４】図１、図２、図３に示すペーパーウエイトの斜視図である。
【図５】本考案に係る他のペーパーウエイトの例を示す斜視図である。
【図６】本考案に係る他のペーパーウエイトの例を示す斜視図である。
【図７】本考案に係る他のペーパーウエイトの例を示す斜視図である。
【符号の説明】
【００１７】  １    ペーパーウエイト本体
２、２’  外包片
３    周縁縫製部
４    外包スペーサー片
５    内袋部
６    流動充填物（錘り）
【図１】
0003189787.tif 000003
【図２】
0003189787.tif 000004
【図３】
0003189787.tif 000005
【図４】
0003189787.tif 000006
【図５】
0003189787.tif 000007
【図６】
0003189787.tif 000008
【図７】
0003189787.tif 000009